(57)【要約】【課題】メス接点間が開いてしまってもフォーク端子とオス端子との導通を補償できるコネクタを提供する。【解決手段】細長いボックス状に形成されたハウジング２と、ハウジング２内に長手方向に間隔を置いて複数挿入され、平板を打ち抜き加工して形成されると共に先端部に一対のメス接点６が形成されるフォーク端子３とを備え、フォーク端子３に形成したメス接点６間に、オスコネクタ１９に形成された板状のオス端子２１が、フォーク端子３と交差するように挿入されてオス端子２１とフォーク端子３とが電気的に接続されるコネクタ１において、フォーク端子３には、オス端子２１の挿入先端側にバネ力で接触する補償接点８が形成されたものである。【選択図】図１
2015076215.tif 000002
【特許請求の範囲】
【請求項１】
細長いボックス状に形成されたハウジングと、前記ハウジング内に長手方向に間隔を置いて複数挿入され、平板を打ち抜き加工して形成されると共に先端部に一対のメス接点が形成されるフォーク端子とを備え、前記フォーク端子に形成したメス接点間に、オスコネクタに形成された板状のオス端子が、前記フォーク端子と交差するように挿入されて前記オス端子と前記フォーク端子とが電気的に接続されるコネクタにおいて、
前記フォーク端子には、前記オス端子の挿入先端側にバネ力で接触する補償接点が形成されたことを特徴とするコネクタ。
【請求項２】
前記メス接点の先端部には、先端方向に延びると共にメス接点間の内側に延びる板状に形成され、前記オス端子と接触するための主接点部が形成され、前記補償接点が、前記主接点部から前記オス端子の挿入先端側に延びて形成された請求項１に記載のコネクタ。
【請求項３】
前記ハウジングには、前記フォーク端子を収容すると共に前記フォーク端子の板厚方向への変形を規制する保持溝が形成された請求項１又は２に記載のコネクタ。
【請求項４】
前記メス接点には、前記主接点部をメス接点間の内側に付勢する主バネ部が形成され、前記補償接点には、前記オス端子と接触するための副接点部が形成されると共に前記副接点部をメス接点間の内側に付勢する副バネ部が形成された請求項２又は３に記載のコネクタ。
【請求項５】
前記主バネ部には、前記メス接点間が過度に開いたとき前記ハウジングと当接するストッパ部が前記副接点部より上方に位置して形成された請求項４に記載のコネクタ。
【発明の詳細な説明】
【技術分野】
【０００１】
本発明は、フォーク端子を備えるコネクタに関するものである。
【背景技術】
【０００２】
電子機器に使用されるコネクタには、先端が二股に分かれて形成されたフォーク端子を用いるものがある。
【０００３】
フォーク端子は、金属の平板を打ち抜き加工して形成され、先端部に一対のメス接点を有する。メス接点は、板状のオス端子がメス接点間に挿入されることで互いに離間する方向に撓み、その撓みによるバネ力でオス端子の板面に圧着されるようになっている。
【先行技術文献】
【特許文献】
【０００４】
【特許文献１】特許第４４２５０５８号公報
【発明の概要】
【発明が解決しようとする課題】
【０００５】
しかしながら、挿入中のオス端子とメス接点との間に異物が入ったり、メス接点が挿入中のオス端子から無理な力を受けたりすると、メス接点が変形して開きっぱなしになってしまい、メス接点間にオス端子を挿入し直してもオス端子とフォーク端子とが電気的に接続されなくなってしまう場合があるという課題があった。
【０００６】
本発明の目的は、メス接点間が開いてしまってもフォーク端子とオス端子との導通を補償できるコネクタを提供することにある。
【課題を解決するための手段】
【０００７】
上述の目的を達成するため、本発明のコネクタは、細長いボックス状に形成されたハウジングと、前記ハウジング内に長手方向に間隔を置いて複数挿入され、平板を打ち抜き加工して形成されると共に先端部に一対のメス接点が形成されるフォーク端子とを備え、前記フォーク端子に形成したメス接点間に、オスコネクタに形成された板状のオス端子が、前記フォーク端子と交差するように挿入されて前記オス端子と前記フォーク端子とが電気的に接続されるコネクタにおいて、前記フォーク端子には、前記オス端子の挿入先端側にバネ力で接触する補償接点が形成されたものである。
【０００８】
前記メス接点の先端部には、先端方向に延びると共にメス接点間の内側に延びる板状に形成され、前記オス端子と接触するための主接点部が形成され、前記補償接点が、前記主接点部から前記オス端子の挿入先端側に延びて形成されてもよい。
【０００９】
前記ハウジングには、前記フォーク端子を収容すると共に前記フォーク端子の板厚方向への変形を規制する保持溝が形成されてもよい。
【００１０】
前記メス接点には、前記主接点部をメス接点間の内側に付勢する主バネ部が形成され、前記補償接点には、前記オス端子と接触するための副接点部が形成されると共に前記副接点をメス接点間の内側に付勢する副バネ部が形成されてもよい。
【００１１】
前記主バネ部には、前記メス接点間が過度に開いたとき前記ハウジングと当接するストッパ部が前記副接点部より上方に位置して形成されてもよい。
【発明の効果】
【００１２】
本発明のコネクタによれば、メス接点間が開いてしまってもフォーク端子とオス端子との導通を補償できる。
【図面の簡単な説明】
【００１３】
【図１】本発明の一実施の形態に係るコネクタの正面断面図である。
【図２】（ａ）はフォーク端子の正面図であり、（ｂ）はフォーク端子の斜視図である。
【図３】（ａ）オス端子を挿入中のコネクタの正面断面図であり、（ｂ）はオス端子が挿入されたコネクタの正面断面図である。
【図４】コネクタの斜視図である。
【図５】オス端子が挿入されたコネクタの斜視図である。
【発明を実施するための形態】
【００１４】
以下、本発明の好適な実施の形態を添付図面にしたがって説明する。
【００１５】
図４に示すように、コネクタ１は、細長いボックス状に形成されたハウジング２と、ハウジング２内に長手方向に間隔を置いて複数挿入された板状のフォーク端子３とを備える。
【００１６】
ハウジング２は樹脂からなる。ハウジング２の上面２ａには、後述するオスコネクタ１９のオス端子２１を挿入するための挿入溝４が形成されると共に、フォーク端子３を挿入させて保持すると共にフォーク端子の板厚方向への変形を規制するための保持溝５が複数形成されている。挿入溝４は、ハウジング２の幅方向（短手方向）の中央に形成されると共にハウジング２の長手方向に延びて形成されている。保持溝５は、ハウジング２の幅方向に延びて形成されると共に、挿入溝４と直角に交差されている。保持溝５は、ハウジング２を上下に貫通して形成されている。
【００１７】
図１、図２（ａ）及び図２（ｂ）に示すように、フォーク端子３は、金属の平板を打ち抜き加工して形成されると共に先端部に一対のメス接点６を有する。具体的には、フォーク端子３は、ハウジング２の保持溝５に挿入されて固定される基部７と、基部７の左右両側から一対並行に上方に延びるメス接点６と、メス接点６のそれぞれからオス端子２１の挿入先端側に延びる補償接点８と、基部７の一側から下方に延び電源基板又はデジタル基板等の基板（図示せず）に固定されると共に基板の電気回路に接続される脚部電極９とを備える。
【００１８】
基部７は、正面視矩形状に形成されており、両側にハウジング２に係止するための係止爪１０ａ、１０ｂを有する。係止爪１０ａ、１０ｂは、ハウジング２内の下部１１ａ、１１ｂに圧入することでフォーク端子３を上下方向に係止する。
【００１９】
メス接点６は、基部７側に形成された主バネ部１２と、先端側に形成された主接点部１３とを備える。
【００２０】
主バネ部１２は、細長く形成されると共に先端側がメス接点６間の内側に傾斜されている。主バネ部１２は、メス接点６間の外方に撓むことでバネ力を発揮するようになっている。また、主バネ部１２には、メス接点６間が過度に開いたときハウジング２と当接するストッパ部１４が後述する補償接点８の副接点部１８より上方に位置して形成されている。ストッパ部１４は、主バネ部１２に幅方向外方に突出するように形成された突起からなる。
【００２１】
主接点部１３は、主バネ部１２から先端方向（上方）に延びると共にメス接点６間の内方に延びる板状に形成されており、幅方向の力に対して強固に形成されている。また、主接点部１３には、オス端子２１と接触すべく内方に突出する接点凸部１５が形成されている。両メス接点６の接点凸部１５は、オス端子２１がメス接点６間に挿入されていないとき、互いに当接するように形成されている。なお、接点凸部１５は互いに離間されるものであってもよい。この場合、接点凸部１５間の間隔は、オス端子２１の板厚より小さな寸法にされるとよい。また、主接点部１３の上端には、オス端子２１をメス接点６間に案内するための傾斜部１６が形成されている。傾斜部１６は、内側に向かうにつれて下がるように形成されている。
【００２２】
補償接点８は、主接点部１３側に形成された副バネ部１７と、先端側に形成された副接点部１８とを備える。
【００２３】
副バネ部１７は、細長く形成されると共に、主接点部１３の内側下部からオス端子２１の挿入先端側（下方かつ内方）に延びるように傾斜して形成されている。副バネ部１７は、メス接点６間の外方に撓むことでバネ力を発揮するようになっている。
【００２４】
副接点部１８は、細長く形成されると共に副バネ部１７から延長されている。副接点部１８は、円弧状に屈曲されると共に外周面がオス端子２１と接触するように形成されている。
【００２５】
また、フォーク端子３の板厚は、メス接点６が保持溝５の延長方向にのみ変形可能となるように保持溝５の溝幅寸法より若干小さく形成されている。
【００２６】
図３（ａ）及び図５に示すように、オスコネクタ１９は、樹脂にてブロック状に形成されたセパレータ２０と、セパレータ２０に設けられた複数のオス端子２１とを備える。
【００２７】
オス端子２１は、上下に延びる細長い板状に形成されており、セパレータ２０に上下に挿通して設けられると共にセパレータ２０から下方に延出されている。オス端子２１は、フォーク端子３の配置と同間隔で複数整列されると共に板面が全て同方向を向くように整列されている。すなわち、オス端子２１は、フォーク端子３と交差する姿勢でメス接点６間に挿入されるように形成されている。
【００２８】
次に本実施の形態の作用を述べる。
【００２９】
オス端子２１とフォーク端子３とを電気的に接続する場合、図３（ａ）に示すように、ハウジング２の挿入溝４内にオス端子２１を挿入する。オス端子２１は、メス接点６の傾斜部１６に沿ってメス接点６間に移動される。
【００３０】
この後、オス端子２１を下方に強く押すことにより、オス端子２１は両側のメス接点６を外方に押し広げながらメス接点６間に挿入される。このとき、主バネ部１２は、基部７を支点として湾曲し、バネ力を発揮する。また、メス接点６は保持溝５によって変形可能な方向を規制されているため、板面と直交する方向に変形することはなく、メス接点６同士が幅方向に安定して開く。
【００３１】
オス端子２１をさらに下方に押し込むと、図３（ｂ）に示すように、オス端子２１は両側の補償接点８を押し広げながら補償接点８間に挿入される。これにより、オス端子２１とフォーク端子３とは、両メス接点６と両補償接点８との４点で電気的に接続される。
【００３２】
また、メス接点６間にオス端子２１を挿入している間にメス接点６に外方への無理な力が作用し、主バネ部１２が塑性変形してメス接点６間が開きっぱなしになる場合、メス接点６のストッパ部１４がハウジング２に当接した後、メス接点６の先端側がストッパ部１４を支点として外方に開く。このとき、主接点部１３は、幅方向に延びると共に上下方向に延びる板状に形成されており幅方向の力に対しては強固であるため、幅方向に潰れることはない。このため、補償接点８は、ストッパ部１４を中心として下端側が上方かつ内方に移動するように回動される。
【００３３】
またこの場合、補償接点８は互いに近接するように姿勢を変えられ、補償接点８同士が圧接され、補償接点８のバネ力が増強される。オス端子２１をメス接点６間から一度抜き、若しくは抜かずに下方に押し込むことにより、オス端子２１は補償接点８間に挿入され、両補償接点８と確実に電気的に接続される。
【００３４】
このように、板状のオス端子２１が、板状のフォーク端子３と交差するように挿入されるコネクタ１において、フォーク端子３には、オス端子２１の挿入先端側にバネ力で接触する補償接点８が形成されるものとしたため、メス接点６間が開いてしまってもオス端子２１に補償接点８を接触させることができ、フォーク端子３とオス端子２１との導通を補償できる。
【００３５】
また、メス接点６の先端部には、先端方向に延びると共にメス接点６間の内側に延びる板状に形成され、オス端子２１と接触する主接点部１３が形成され、補償接点８が、主接点部１３からオス端子２１の挿入先端側に延びて形成されるものとしたため、主接点部１３が幅方向に潰れて補償接点８間が開くのを防ぐことができ、フォーク端子３とオス端子２１との導通をより確実に補償できる。
【００３６】
ハウジング２には、フォーク端子３を収容すると共にフォーク端子３の板厚方向への変形を規制する保持溝５が形成されるものとしたため、メス接点６がフォーク端子３の板厚方向や捻れ方向に変形するのを防ぐことができ、オス端子２１に補償接点８を確実に接触させることができる。
【００３７】
メス接点６には、主接点部１３をメス接点６間の内側に付勢する主バネ部１２が形成され、補償接点８には、オス端子２１と接触する副接点部１８が形成されると共に副接点部１８をメス接点６間の内側に付勢する副バネ部１７が形成されるものとしたため、補償接点８のバネ力をメス接点６から独立して得ることができ、フォーク端子３とオス端子２１との導通をより確実に補償できる。
【００３８】
主バネ部１２には、メス接点６間が過度に開いたときハウジング２と当接するストッパ部１４が副接点部１８より上方に位置して形成されるものとしたため、メス接点６間が開いたとき、補償接点８の副接点部１８同士が近接するように補償接点８の姿勢を変えることができ、補償接点８のバネ力を増強できる。
【００３９】
なお、ストッパ部１４は、主バネ部１２に形成されるものとしたが、ハウジング２に形成されるものとしてもよい。この場合、ストッパ部１４は、ハウジング２に幅方向内方（保持溝５内）に突出するように形成された突起からなるとよく、副接点部１８より上方、かつ、主接点部１３より下方に位置されるとよい。
【符号の説明】
【００４０】
１  コネクタ
２  ハウジング
３  フォーク端子
６  メス接点
８  補償接点
１２  主バネ部
１３  主接点部
１４  ストッパ部
１７  副バネ部
１８  副接点部
１９  オスコネクタ
２１  オス端子
【図１】
2015076215.tif 000003
【図２】
2015076215.tif 000004
【図３】
2015076215.tif 000005
【図４】
2015076215.tif 000006
【図５】
2015076215.tif 000007